(57)【要約】【課題】  依頼者から探索依頼された任意の移動体を無線ＩＣタグを利用して追跡することが可能な被探索物追跡システムの提供。【解決手段】  被探索物追跡システムＳは、移動体１と設置環境３と出動拠点６と監視センタ７とからなる。設置環境３のタグ読み取りセンサＴＲＳ１〜ＴＲＳｎと出動拠点６のサーバ６０と監視センタ７のサーバ７０と依頼者４の携帯電話機４０とをネットワーク８を介して接続する。移動体１に装備された無線ＩＣタグ２が各種の情報を発信する。タグ読み取りセンサＴＲＳ１〜ＴＲＳｎがセンスした無線ＩＣタグ２から発信される各種の情報を読み取る。監視センタ７のサーバ７０が受信した各種の情報を管理ＤＢ７１に格納する。監視センタ７のＰＣ７２が移動体１の現在位置情報をモニタ７３の監視画面７３ａに表示する。【選択図】        図１
2005083781.tif 000002
【特許請求の範囲】
【請求項１】
非接触型の無線ＩＣタグを装備された探索対象となる移動体と、前記無線ＩＣタグに記録された前記移動体に関する各種の情報を読み取るための多数のタグ読み取りセンサを地域に散在して設置された設置環境と、依頼者から探索依頼された前記移動体の探索を実施するための出動員が待機する出動拠点と、前記地域の設置環境内に設置された各タグ読み取りセンサを監視する監視センタとからなり、前記タグ読み取りセンサと前記出動拠点サーバと前記監視センタサーバと前記依頼者端末とをネットワークを介して前記移動体に関する各種の情報を送受信するように接続し、被探索物となる前記移動体を前記無線ＩＣタグを利用して追跡する被探索物追跡システムであって、
前記無線ＩＣタグは、記録されている前記移動体に関する各種の情報を発信する機能を備え、前記タグ読み取りセンサは、自局の前記移動体を探索可能な所定の距離範囲内にある前記移動体に装備された前記無線ＩＣタグをセンスする機能と、センスした前記無線ＩＣタグから発信される前記移動体に関する各種の情報を読み取る機能と、前記無線ＩＣタグから読み取った前記移動体に関する各種の情報を前記監視センタサーバに送信する機能とを備え、前記監視センタサーバは、前記タグ読み取りセンサから送信された前記移動体に関する各種の情報を受信する機能と、受信した前記移動体に関する各種の情報を管理データベースに格納する機能とを備え、前記監視センタパソコンは、受信した前記移動体に関する各種の情報から前記タグ読み取りセンサによりセンスされた前記無線ＩＣタグを装備された前記移動体の現在の居場所である現在位置情報を監視表示装置の監視画面に表示する機能を備えたことを特徴とする被探索物追跡システム。
【請求項２】
上記監視センタサーバは、受信した上記移動体の現在位置情報を前記移動体の探索依頼を指示した上記依頼者端末に転送する機能を備え、前記依頼者端末は、前記監視センタサーバから転送された前記移動体の現在位置情報を受信する機能と、受信した前記移動体の現在位置情報を表示部の表示画面に表示する機能とを備えている請求項１に記載の被探索物追跡システム。
【請求項３】
上記監視センタサーバは、受信した上記移動体の現在位置情報を前記移動体の探索を実施する上記出動拠点サーバに転送する機能を備え、前記出動拠点サーバは、前記監視センタサーバから転送された前記移動体の現在位置情報を受信する機能と、受信した前記移動体の現在位置情報をデータベースに格納する機能とを備え、上記出動拠点パソコンは、受信した前記移動体の現在位置情報を監視表示装置の監視画面に表示する機能を備えている請求項１または２に記載の被探索物追跡システム。
【請求項４】
上記監視センタサーバは、受信した上記移動体の現在位置情報を上記出動拠点から出動する上記出動員端末に転送する機能を備え、前記出動員端末は、前記監視センタサーバから転送された前記移動体の現在位置情報を逐次受信する機能と、逐次受信した前記移動体の現在位置情報を表示部の表示画面に表示する機能とを備えている請求項１乃至３のいずれかに記載の被探索物追跡システム。
【請求項５】
上記監視センタサーバは、上記依頼者が探索依頼した任意の時点で上記移動体の現在位置情報を前記依頼者端末に転送する機能を備え、前記依頼者端末は、前記監視センタサーバから転送された前記移動体の現在位置情報を受信する機能と、受信した前記移動体の現在位置情報を表示部の表示画面に表示する機能とを備えている請求項１乃至４のいずれかに記載の被探索物追跡システム。
【請求項６】
上記地域の設置環境内に設置された各タグ読み取りセンサは、任意の時間間隔で上記移動体に装備された上記無線ＩＣタグをセンスする機能と、センスした前記無線ＩＣタグから読み取った前記移動体に関する各種の情報を上記監視センタサーバに逐次送信する機能とを備え、前記監視センタサーバは、前記各タグ読み取りセンサから逐次送信された前記移動体に関する各種の情報を受信する機能と、受信した前記移動体に関する各種の情報を上記管理データベースに格納する機能とを備え、上記監視センタパソコンは、受信した前記移動体に関する各種の情報を上記監視表示装置の監視画面に表示する機能を備えている請求項１に記載の被探索物追跡システム。
【請求項７】
上記監視センタサーバは、受信した上記移動体の現在位置情報と前記移動体に関する各種の情報を受信した時刻の時刻情報を上記管理データベースに記録して蓄積する機能を備えている請求項１乃至６のいずれかに記載の被探索物追跡システム。
【請求項８】
上記監視センタサーバは、上記監視表示装置，上記依頼者端末若しくは上記出動員端末から指定された任意の上記移動体の探索に関するログ情報を編集して出力する機能を備えている請求項７に記載の被探索物追跡システム。
【請求項９】
上記監視センタサーバは、上記ログ情報を地図情報にプロットして編集・出力する機能を備えている請求項８に記載の被探索物追跡システム。
【発明の詳細な説明】
【技術分野】
【０００１】
本発明は、動物，人，自動車などの移動体である被探索物を追跡する被探索物追跡システムに関するものである。
【背景技術】
【０００２】
現在、ごく小さなＩＣチップをバーコード代わりに使って製品の管理や精算などに役立てるための通信機能を有する非接触型の無線ＩＣタグに関して、無線ＩＣタグを荷札以外の幅広い分野への活用が期待されており、実用化も徐々に進みつつある。
【０００３】
近年、動物，人，自動車などの移動体の追跡の需要が高まっており、携帯電話やＰＨＳ（Ｐｅｒｓｏｎａｌ  Ｈａｎｄｙｐｈｏｎｅ  Ｓｙｓｔｅｍ）を使って、移動体の現在位置を確認することもできる。
【０００４】
最近は、警備会社が移動体である犬・猫などのペットに発信機を取付け、ペットの現在位置を探索するサービスも行われている。
【０００５】
従来、任意の移動体の位置及び動程を追跡するための方法が特許文献１に開示されている。
【特許文献１】特開２００１−３３５３８号公報
【発明の開示】
【発明が解決しようとする課題】
【０００６】
ところが、特許文献１に開示された任意の移動体の位置及び動程を追跡するための方法は、移動体に配置された衛星測位システム装置によって、移動体の地理的位置を周期的に測定するようにしたものであり、移動体に衛星測位システム装置を設置しなければならず、衛星測位システム装置が高価で、移動体の探索を依頼する依頼者の経済的負担が増大し、衛星測位システム装置に電力を供給するための大きな電源（バッテリ）も必要であった。
【０００７】
そこで、本発明の目的は、上記の事情に鑑みてなされたものであって、無線ＩＣタグをあらかじめ探索対象となる移動体に取付けておくのみで、地域の設置環境内に設置したタグ読み取りセンサが自局の所定の距離範囲内にある移動体に取付けた無線ＩＣタグに記録されている移動体に関する各種の情報の読み取りを行い、タグ読み取りセンサが読み取った移動体に関する各種の情報をネットワークを経由して監視センタサーバに送信し、監視センタサーバが無線ＩＣタグから読み取った移動体に関する各種の情報を管理データベースにあらかじめ登録されている移動体に関する各種の情報と照合し、移動体の現在位置を特定することができ、従来のような電源を全く必要とせず、移動体の探索を依頼する依頼者に経済的負担をかけることもなく、依頼者から探索依頼された任意の移動体を無線ＩＣタグを利用して確実に追跡することが可能な被探索物追跡システムを提供することにある。
【課題を解決するための手段】
【０００８】
本発明の被探索物追跡システムは、非接触型の無線ＩＣタグを装備された探索対象となる移動体と、前記無線ＩＣタグに記録された前記移動体に関する各種の情報を読み取るための多数のタグ読み取りセンサを地域に散在して設置された設置環境と、依頼者から探索依頼された前記移動体の探索を実施するための出動員が待機する出動拠点と、前記地域の設置環境内に設置された各タグ読み取りセンサを監視する監視センタとからなり、前記タグ読み取りセンサと前記出動拠点サーバと前記監視センタサーバと前記依頼者端末とをネットワークを介して前記移動体に関する各種の情報を送受信するように接続し、被探索物となる前記移動体を前記無線ＩＣタグを利用して追跡する被探索物追跡システムであって、前記無線ＩＣタグが、記録されている前記移動体に関する各種の情報を発信する機能を備え、前記タグ読み取りセンサが、自局の前記移動体を探索可能な所定の距離範囲内にある前記移動体に装備された前記無線ＩＣタグをセンスする機能と、センスした前記無線ＩＣタグから発信される前記移動体に関する各種の情報を読み取る機能と、前記無線ＩＣタグから読み取った前記移動体に関する各種の情報を前記監視センタサーバに送信する機能とを備え、前記監視センタサーバが、前記タグ読み取りセンサから送信された前記移動体に関する各種の情報を受信する機能と、受信した前記移動体に関する各種の情報を管理データベースに格納する機能とを備え、前記監視センタパソコンが、受信した前記移動体に関する各種の情報から前記タグ読み取りセンサによりセンスされた前記無線ＩＣタグを装備された前記移動体の現在の居場所である現在位置情報を監視表示装置の監視画面に表示する機能を備えたことを特徴とする構成を有するものである。
【０００９】
上記に記載の本発明によれば、無線ＩＣタグが記録されている移動体に関する各種の情報を発信するので、移動体に関する各種の情報を常に無線ＩＣタグからタグ読み取りセンサに向けて送り出すことができ、タグ読み取りセンサが自局の移動体を探索可能な所定の距離範囲内にある移動体に装備された無線ＩＣタグをセンスすると、タグ読み取りセンサがセンスした無線ＩＣタグから発信される移動体に関する各種の情報を読み取り、タグ読み取りセンサが無線ＩＣタグから読み取った移動体に関する各種の情報をネットワークを経由して監視センタサーバに送信するので、移動体に関する各種の情報をタグ読み取りセンサにより取得することができ、監視センタサーバがタグ読み取りセンサから送信された移動体に関する各種の情報を受信し、監視センタサーバが受信した移動体に関する各種の情報を管理データベースに格納するので、移動体に関する各種の情報を監視センタの管理データベースで管理することができ、監視センタパソコンが受信した移動体に関する各種の情報からタグ読み取りセンサによりセンスされた無線ＩＣタグを装備された移動体の現在の居場所である現在位置情報を監視表示装置の監視画面に表示するので、移動体の現在位置を監視センタの監視表示装置の監視画面で監視することができる。
【００１０】
本発明の被探索物追跡システムは、上記監視センタサーバが、受信した上記移動体の現在位置情報を前記移動体の探索依頼を指示した上記依頼者端末に転送する機能を備え、前記依頼者端末が、前記監視センタサーバから転送された前記移動体の現在位置情報を受信する機能と、受信した前記移動体の現在位置情報を表示部の表示画面に表示する機能とを備えている。
【００１１】
上記に記載の本発明によれば、監視センタサーバが受信した移動体の現在位置情報を移動体の探索依頼を指示した依頼者端末に転送するので、監視センタサーバから転送された移動体の現在位置情報を依頼者端末により取得することができ、依頼者端末が監視センタサーバから転送された移動体の現在位置情報を受信し、依頼者端末が受信した移動体の現在位置情報を表示部の表示画面に表示するので、依頼者が依頼者端末の表示部の表示画面に表示された移動体の現在位置情報を目で見て確認することができる。
【００１２】
本発明の被探索物追跡システムは、上記監視センタサーバが、受信した上記移動体の現在位置情報を前記移動体の探索を実施する上記出動拠点サーバに転送する機能を備え、前記出動拠点サーバが、前記監視センタサーバから転送された前記移動体の現在位置情報を受信する機能と、受信した前記移動体の現在位置情報をデータベースに格納する機能とを備え、上記出動拠点パソコンが、受信した前記移動体の現在位置情報を監視表示装置の監視画面に表示する機能を備えている。
【００１３】
上記に記載の本発明によれば、監視センタサーバが受信した移動体の現在位置情報を移動体の探索を実施する出動拠点サーバに転送するので、監視センタサーバから転送された移動体の現在位置情報を出動拠点サーバにより取得することができ、出動拠点サーバが監視センタサーバから転送された移動体の現在位置情報を受信し、出動拠点サーバが受信した移動体の現在位置情報をデータベースに格納するので、移動体の現在位置情報を出動拠点のデータベースで管理することができ、出動拠点パソコンが受信した移動体の現在位置情報を監視表示装置の監視画面に表示するので、移動体の現在位置を出動拠点の監視表示装置の監視画面で監視することができる。
【００１４】
本発明の被探索物追跡システムは、上記監視センタサーバが、受信した上記移動体の現在位置情報を上記出動拠点から出動する上記出動員端末に転送する機能を備え、前記出動員端末が、前記監視センタサーバから転送された前記移動体の現在位置情報を逐次受信する機能と、逐次受信した前記移動体の現在位置情報を表示部の表示画面に表示する機能とを備えている。
【００１５】
上記に記載の本発明によれば、監視センタサーバが受信した移動体の現在位置情報を出動拠点から出動する出動員端末に転送するので、監視センタサーバから転送された移動体の現在位置情報を出動員端末により取得することができ、出動員端末が監視センタサーバから転送された移動体の現在位置情報を逐次受信し、出動員端末が逐次受信した移動体の現在位置情報を表示部の表示画面に表示するので、出動員が出動員端末の表示部の表示画面に表示された移動体の現在位置情報を目で見て確認することができ、出動員は移動体の現在位置情報を確認しながら直ちに移動体の追跡を行うことができる。
【００１６】
本発明の被探索物追跡システムは、上記監視センタサーバが、上記依頼者が探索依頼した任意の時点で上記移動体の現在位置情報を前記依頼者端末に転送する機能を備え、前記依頼者端末が、前記監視センタサーバから転送された前記移動体の現在位置情報を受信する機能と、受信した前記移動体の現在位置情報を表示部の表示画面に表示する機能とを備えている。
【００１７】
上記に記載の本発明によれば、監視センタサーバが依頼者が探索依頼した任意の時点で移動体の現在位置情報を依頼者端末に転送するので、依頼者からの移動体の探索依頼に対して迅速に対処することができ、依頼者端末が監視センタサーバから転送された移動体の現在位置情報を受信し、依頼者端末が受信した移動体の現在位置情報を表示部の表示画面に表示するので、依頼者が依頼者端末の表示部の表示画面に表示された移動体の現在位置情報を目視で確認でき、移動体の現在の居場所が分かるので、依頼者に安心感を与えることができる。
【００１８】
本発明の被探索物追跡システムは、上記地域の設置環境内に設置された各タグ読み取りセンサが、任意の時間間隔で上記移動体に装備された上記無線ＩＣタグをセンスする機能と、センスした前記無線ＩＣタグから読み取った前記移動体に関する各種の情報を上記監視センタサーバに逐次送信する機能とを備え、前記監視センタサーバが、前記各タグ読み取りセンサから逐次送信された前記移動体に関する各種の情報を受信する機能と、受信した前記移動体に関する各種の情報を上記管理データベースに格納する機能とを備え、上記監視センタパソコンが、受信した前記移動体に関する各種の情報を上記監視表示装置の監視画面に表示する機能を備えている。
【００１９】
上記に記載の本発明によれば、地域の設置環境内に設置された各タグ読み取りセンサが任意の時間間隔で移動体に装備された無線ＩＣタグをセンスすると、各タグ読み取りセンサがセンスした無線ＩＣタグから読み取った移動体に関する各種の情報を監視センタサーバに逐次送信するので、移動体に関する各種の情報を任意の時間間隔で各タグ読み取りセンサにより取得することができ、監視センタサーバが各タグ読み取りセンサから逐次送信された移動体に関する各種の情報を受信し、監視センタサーバが受信した移動体に関する各種の情報を管理データベースに格納するので、移動体に関する各種の情報を監視センタの管理データベースにより管理でき、監視センタパソコンが受信した移動体に関する各種の情報を監視表示装置の監視画面に表示するので、移動体に関する各種の情報を監視センタの監視表示装置の監視画面で監視することができる。
【００２０】
本発明の被探索物追跡システムは、上記監視センタサーバが、受信した上記移動体の現在位置情報と前記移動体に関する各種の情報を受信した時刻の時刻情報を上記管理データベースに記録して蓄積する機能を備えている。
【００２１】
上記に記載の本発明によれば、監視センタサーバが受信した移動体の現在位置情報と移動体に関する各種の情報を受信した時刻の時刻情報を管理データベースに記録して蓄積するので、移動体の現在位置情報と時刻情報を監視センタの管理データベースで管理することができ、移動体の現在位置と時刻が同時に分かるので、移動体の移動ルートを把握することができる。
【００２２】
本発明の被探索物追跡システムは、上記監視センタサーバが、上記監視表示装置，上記依頼者端末若しくは上記出動員端末から指定した任意の上記移動体の探索に関するログ情報を編集して出力する機能を備えている。
【００２３】
上記に記載の本発明によれば、監視センタサーバが監視表示装置，依頼者端末若しくは出動員端末から指定された任意の移動体の探索に関するログ情報を編集して出力するので、依頼者或いは出動員が移動体を追跡するために必要な探索履歴のログ情報を容易に取得することができる。
【００２４】
本発明の被探索物追跡システムは、上記監視センタサーバが、上記ログ情報を地図情報にプロットして編集・出力する機能を備えている。
【００２５】
上記に記載の本発明によれば、監視センタサーバがログ情報を地図情報にプロットして編集・出力するので、依頼者或いは出動員が地図情報にプロットされたログ情報を確認しながら移動体の現在位置を把握して追跡を行うことができる。
【発明の効果】
【００２６】
以上に述べたように、本発明によれば、無線ＩＣタグをあらかじめ探索対象となる移動体に取付けておくのみで、地域の設置環境内に設置したタグ読み取りセンサが自局の所定の距離範囲内にある移動体に取付けた無線ＩＣタグに記録されている移動体に関する各種の情報の読み取りを行い、タグ読み取りセンサが読み取った移動体に関する各種の情報を通信ネットワークを経由して監視センタサーバに送信し、監視センタサーバが無線ＩＣタグから読み取った移動体に関する各種の情報を管理データベースにあらかじめ登録されている移動体に関する各種の情報と照合し、移動体の現在位置を特定することができ、従来のような電源を全く必要とせず、移動体の探索を依頼する依頼者に経済的負担をかけることもなく、依頼者から探索依頼された任意の移動体を無線ＩＣタグを利用して確実に追跡することが可能な被探索物追跡システムを得ることができる。
【発明を実施するための最良の形態】
【００２７】
以下、本発明を実施するための最良の形態を図面を参照して詳細に説明する。
【実施例】
【００２８】
本発明の被探索物追跡システムＳは、非接触型の無線ＩＣタグ２を装備された探索対象となる犬などの移動体１と、無線ＩＣタグ２に記録された移動体１に関する各種の情報を読み取るための多数のタグ読み取りセンサＴＲＳ１，ＴＲＳ２，…ＴＲＳｎを地域に散在して設置された設置環境３と、依頼者４から探索依頼された移動体１の探索を実施するための出動員５が待機する出動拠点６と、地域の設置環境３内に設置された各タグ読み取りセンサＴＲＳ１，ＴＲＳ２，…ＴＲＳｎを監視する監視センタ７とからなり、タグ読み取りセンサＴＲＳ１，ＴＲＳ２，…ＴＲＳｎと出動拠点６のサーバ６０と監視センタ７のサーバ７０と依頼者４の端末である携帯電話機４０とを通信ネットワーク８を介して移動体１に関する各種の情報を送受信するように接続し、被探索物となる移動体１を無線ＩＣタグ２を利用して追跡するシステムである。
【００２９】
本発明の被探索物追跡システムＳは、無線ＩＣタグ２が、記録されている移動体１に関する各種の情報を発信する機能を備え、タグ読み取りセンサＴＲＳ１，ＴＲＳ２，…ＴＲＳｎが、自局の移動体１を探索可能な所定の距離範囲内にある移動体１に装備された無線ＩＣタグ２をセンスする機能と、センスした無線ＩＣタグ２から発信される移動体１に関する各種の情報を読み取る機能と、無線ＩＣタグ２から読み取った移動体１に関する各種の情報を監視センタ７のサーバ７０に送信する機能とを備え、監視センタ７のサーバ７０が、タグ読み取りセンサＴＲＳ１，ＴＲＳ２，…ＴＲＳｎから送信された移動体１に関する各種の情報を受信する機能と、受信した移動体１に関する各種の情報を管理データベース（ＤＢ；Ｄａｔａ  Ｂａｓｅ）７１に格納する機能とを備え、監視センタ７のパソコン（ＰＣ；Ｐｅｒｓｏｎａｌ  Ｃｏｍｐｕｔｅｒ）７２が、受信した移動体１に関する各種の情報からタグ読み取りセンサＴＲＳ１，ＴＲＳ２，…ＴＲＳｎによりセンスされた無線ＩＣタグ２を装備された移動体１の現在の居場所である現在位置情報を監視表示装置となるモニタ７３の監視画面７３ａに表示する機能を備えている。
【００３０】
本発明の被探索物追跡システムＳは、監視センタ７のサーバ７０が、受信した移動体１の現在位置情報を移動体１の探索依頼を指示した依頼者４の携帯電話機４０に転送する機能を備え、依頼者４の携帯電話機４０が、監視センタ７のサーバ７０から転送された移動体１の現在位置情報を受信する機能と、受信した移動体１の現在位置情報を表示部４１の表示画面４１ａに表示する機能とを備えている。
【００３１】
本発明の被探索物追跡システムＳは、監視センタ７のサーバ７０が、受信した移動体１の現在位置情報を移動体１の探索を実施する出動拠点６のサーバ６０に転送する機能を備え、出動拠点６のサーバ６０が、監視センタ７のサーバ７０から転送された移動体１の現在位置情報を受信する機能と、受信した移動体１の現在位置情報をデータベース６３に格納する機能とを備え、出動拠点６のパソコン（ＰＣ）６１が、受信した移動体１の現在位置情報を監視表示装置となるモニタ６２の監視画面６２ａに表示する機能を備えている。
【００３２】
本発明の被探索物追跡システムＳは、監視センタ７のサーバ７０が、受信した移動体１の現在位置情報を出動拠点６から出動する出動員５の端末である携帯電話機５０に転送する機能を備え、出動員５の携帯電話機５０が、監視センタ７のサーバ７０から転送された移動体１の現在位置情報を逐次受信する機能と、逐次受信した移動体１の現在位置情報を表示部５１の表示画面５１ａに表示する機能とを備えている。
【００３３】
本発明の被探索物追跡システムＳは、監視センタ７のサーバ７０が、依頼者４が探索依頼した任意の時点で移動体１の現在位置情報を依頼者４の携帯電話機４０に転送する機能を備え、依頼者４の携帯電話機４０が、監視センタ７のサーバ７０から転送された移動体１の現在位置情報を受信する機能と、受信した移動体１の現在位置情報を表示部４１の表示画面４１ａに表示する機能とを備えている。
【００３４】
本発明の被探索物追跡システムＳは、地域の設置環境３内に設置された各タグ読み取りセンサＴＲＳ１，ＴＲＳ２，…ＴＲＳｎが、任意の時間間隔で移動体１に装備された無線ＩＣタグ２をセンスする機能と、センスした無線ＩＣタグ２から読み取った移動体１に関する各種の情報を監視センタ７のサーバ７０に逐次送信する機能とを備え、監視センタ７のサーバ７０が、各タグ読み取りセンサＴＲＳ１，ＴＲＳ２，…ＴＲＳｎから逐次送信された移動体１に関する各種の情報を受信する機能と、受信した移動体１に関する各種の情報を管理データベース７１に格納する機能とを備え、監視センタ７のパソコン７２が、受信した移動体１に関する各種の情報をモニタ７３の監視画面７３ａに表示する機能を備えている。
【００３５】
本発明の被探索物追跡システムＳは、監視センタ７のサーバ７０が、受信した移動体１の現在位置情報と移動体１に関する各種の情報を受信した時刻の時刻情報を管理データベース７１に記録して蓄積する機能を備えている。
【００３６】
本発明の被探索物追跡システムＳは、監視センタ７のサーバ７０が、モニタ７３，依頼者４の携帯電話機４０若しくは出動員５の携帯電話機５０から指定した任意の移動体１の探索に関する利用状況や通信の記録などの利用記録となるログ情報を編集して出力する機能を備えている。
【００３７】
本発明の被探索物追跡システムＳは、監視センタ７のサーバ７０が、ログ情報を地図情報にプロットして編集・出力する機能を備えている。
【００３８】
図１は、本発明に係る実施例の被探索物追跡システムの概念構成を示すブロック図である。
移動体１である犬の頸部には、図１に示すように、無線ＩＣタグ２を埋め込んで設けた首輪２０が装着されている。
無線ＩＣタグ２には、移動体１に関する各種の情報として、各タグを識別するための識別子となる無線タグＩＤと、移動体１である被探索物の種類，写真，大きさ，色，特徴などの被探索物情報と、被探索物を所有する依頼者４の住所，氏名，連絡先などの依頼者情報が記録されている。
【００３９】
地域の設置環境３は、図１に示すように、路側上に地上設備として街路灯，電柱などのポスト３０が設置され、ポスト３０にはタグ読み取りセンサＴＲＳ１，ＴＲＳ２，…ＴＲＳｎがそれぞれ配設されている。
タグ読み取りセンサＴＲＳ１，ＴＲＳ２，…ＴＲＳｎには、各センサを識別するための識別子となるセンサＩＤがそれぞれ割付けて付与されている。
【００４０】
また、各タグ読み取りセンサＴＲＳ１，ＴＲＳ２，…ＴＲＳｎには、アンテナ３１と発信機３２が付設されている。
発信機３２は、タグ読み取りセンサＴＲＳ１，ＴＲＳ２，…ＴＲＳｎで無線ＩＣタグ２から読み取った移動体１に関する各種の情報をアンテナ３１を介して監視センタ７のサーバ７０に発信するようになっている。
【００４１】
依頼者４の所持する携帯電話機４０は、表示部４１を備えている。
【００４２】
出動員５の所持する携帯電話機５０は、表示部５１を備えている。
【００４３】
出動拠点６は、図１に示すように、パソコン６１と、パソコン６１に接続されたサーバ６０と、パソコン６１，サーバ６０に接続されたデータベース（ＤＢ）６３と、パソコン６１，サーバ６０，データベース６３に接続されたルータ６４とを有している。
ルータ６４は、ネットワーク間を相互に接続するためのものである。
【００４４】
監視センタ７は、図１に示すように、パソコン７２と、パソコン７２に接続されたサーバ７０と、パソコン７２，サーバ７０に接続された管理データベース７１と、サーバ７０に接続された送受信装置７４と、送受信装置７４に接続されたアンテナ７５と、パソコン７２，サーバ７０，管理データベース７１に接続されたルータ７６とを有している。
ルータ７６は、ネットワーク間を相互に接続するためのものである。
【００４５】
監視センタ７の管理データベース７１には、タグ読み取りセンサＴＲＳ１，ＴＲＳ２，…ＴＲＳｎを地域の設置環境３内に設置した各場所のセンサ設置位置情報が登録されている。
【００４６】
監視センタ７の送受信装置７４は、発信機３２から発信された移動体１に関する各種の情報をアンテナ７５を介して受信する機能を備えている。
また、監視センタ７の送受信装置７４は、受信した移動体に関する各種の情報を依頼者の携帯電話機或いは出動員の携帯電話機に送信する機能を備えている。
【００４７】
監視センタ７のサーバ７０は、管理データベース７１に登録された無線タグＩＤ，被探索物情報，依頼者情報，センサＩＤ，センサ設置位置情報などの各種の情報を管理し、依頼者４からの移動体１の探索依頼に応じて被探索物に関連する被探索物関連サービス情報の提供を行うものである。
【００４８】
図２は、本発明に係る実施例の被探索物追跡システムにおける被探索物の探索依頼のための登録時の処理フロー図である。
ステップＳ１００でスタートした処理は、被探索物となる移動体１の探索依頼のための登録時に、まず、ステップＳ１０１で移動体１に関する各種の情報として被探索物情報及び依頼者情報を監視センタ７の管理データベース７１に無線タグＩＤと共に登録し、次いで、ステップＳ１０２で無線ＩＣタグ２を移動体１に取付ける。
【００４９】
図３は、本発明に係る実施例の被探索物追跡システムにおける被探索物の現在位置情報の検出時の処理フロー図である。
ステップＳ２００でスタートした処理は、被探索物となる移動体１の現在位置情報の検出時に、まず、ステップＳ２０１で地域の設置環境３内の各場所に設置されたタグ読み取りセンサＴＲＳ１，ＴＲＳ２，…ＴＲＳｎが探索可能な所定の距離範囲内にある移動体１に取付けられた無線ＩＣタグ２をセンスすると、タグ読み取りセンサＴＲＳ１，ＴＲＳ２，…ＴＲＳｎがセンスした無線ＩＣタグ２に記録されている移動体１に関する各種の情報を読み取り、次いで、ステップＳ２０２でタグ読み取りセンサＴＲＳ１，ＴＲＳ２，…ＴＲＳｎが無線ＩＣタグ２から読み取った移動体１に関する各種の情報を無線タグＩＤ及びセンサＩＤと共に通信ネットワーク８を経由して監視センタ７のサーバ７０に送信し、次いで、ステップＳ２０３でセンスされた無線ＩＣタグ２から読み取った移動体１の無線タグＩＤが依頼者４から探索依頼された無線タグＩＤと異なっている場合には、タグ読み取りセンサＴＲＳ１，ＴＲＳ２，…ＴＲＳｎが、その都度移動体１に取付けられた無線ＩＣタグ２から読み取った移動体１に関する各種の情報を無線タグＩＤ及びセンサＩＤと共に通信ネットワーク８を経由して監視センタ７のサーバ７０に送信する。
【００５０】
図４は、本発明に係る実施例の被探索物追跡システムにおける被探索物の現在位置情報の監視センタの管理データベースへの登録／探索時の処理フロー図である。
ステップＳ３００でスタートした処理は、被探索物となる移動体１の現在位置情報の監視センタ７の管理データベース７１への登録／探索時に、まず、ステップＳ３０１で監視センタ７のサーバ７０が受信した無線タグＩＤ番号とセンサＩＤを管理データベース７１に格納し、次いで、ステップＳ３０２で監視センタ７のサーバ７０が各タグ読み取りセンサＴＲＳ１，ＴＲＳ２，…ＴＲＳｎに付与したセンサＩＤを基に移動体１の現在位置情報を管理データベース７１から検索し、監視センタ７のサーバ７０が移動体１の現在位置情報を取得し、次いで、ステップＳ３０３で監視センタ７のパソコン７２が検索結果として移動体１の現在位置情報をモニタ７３の監視画面７３ａに表示し、次いで、ステップＳ３０４で監視センタ７のサーバ７０が検索結果の移動体１の現在位置情報を通信ネットワーク８を経由して出動拠点６のサーバ６０に送信し、次いで、ステップＳ３０５で出動拠点６のサーバ６０が監視センタ７のサーバ７０から送信された移動体１の現在位置情報を受信し、次いで、ステップＳ３０６で出動拠点６のパソコン６１が受信した移動体１の現在位置情報をモニタ６２の監視画面６２ａに表示し、次いで、ステップＳ３０７で監視センタ７のサーバ７０が検索結果の移動体１の現在位置情報を通信ネットワーク８を経由して依頼者４の携帯電話機４０に送信し、次いで、ステップＳ３０８で依頼者４の携帯電話機４０が移動体１の現在位置情報を受信し、次いで、ステップＳ３０９で依頼者４の携帯電話機４０が受信した移動体１の現在位置情報を表示部４１の表示画面４１ａに表示し、次いで、ステップＳ３１０で監視センタ７のサーバ７０が検索結果の移動体１の現在位置情報を通信ネットワーク８を経由して出動員５の携帯電話機５０に送信し、次いで、ステップＳ３１１で出動員５の携帯電話機５０が移動体１の現在位置情報を受信し、次いで、ステップＳ３１２で出動員５の携帯電話機５０が受信した移動体１の現在位置情報を表示部５１の表示画面５１ａに表示する。
【００５１】
図５は、本発明に係る実施例の被探索物追跡システムにおける被探索物の現在位置情報のロギング時の処理フロー図である。
ステップＳ４００でスタートした処理は、被探索物となる移動体１の現在位置情報のロギング時に、まず、ステップＳ４０１で監視センタ７のサーバ７０が受信した移動体１の現在位置情報と移動体１に関する各種の情報を受信した時刻の時刻情報を管理データベース７１に記録して蓄積する。
【００５２】
図６は、本発明に係る実施例の被探索物追跡システムにおける被探索物の現在位置情報のプロット出力時の処理フロー図である。
ステップＳ５００でスタートした処理は、被探索物となる移動体１の現在位置情報のプロット出力時に、まず、ステップＳ５０１で監視センタ７のサーバ７０がログ情報を地図情報にプロットして編集・出力する。
【００５３】
なお、上述した実施例では、移動体が犬・猫などのペットであるために、無線ＩＣタグを首輪に取付けたが、移動体が子供や徘徊老人などの人である場合は、無線ＩＣタグを衣服に取付ければ良く、さらに、移動体が自動車である場合は、無線ＩＣタグを窓ガラスにシールなどにより取付ければ良い。
【図面の簡単な説明】
【００５４】
【図１】本発明に係る実施例の被探索物追跡システムの概念構成を示すブロック図。
【図２】本発明に係る実施例の被探索物追跡システムにおける被探索物の探索依頼のための登録時の処理フローチャート図。
【図３】本発明に係る実施例の被探索物追跡システムにおける被探索物の現在位置情報の検出時の処理フローチャート図。
【図４】本発明に係る実施例の被探索物追跡システムにおける被探索物の現在位置情報の監視センタの管理データベースへの登録／探索時の処理フローチャート図。
【図５】本発明に係る実施例の被探索物追跡システムにおける被探索物の現在位置情報のロギング時の処理フローチャート図。
【図６】本発明に係る実施例の被探索物追跡システムにおける被探索物の現在位置情報のプロット出力時の処理フローチャート図。
【符号の説明】
【００５５】
１  移動体（被探索物）
２  無線ＩＣタグ
３  設置環境
４  依頼者
５  出動員
６  出動拠点
７  監視センタ
８  通信ネットワーク
２０  首輪
３０  ポスト
３１  アンテナ
３２  発信機
４０  携帯電話機（端末）
４１  表示部
４１ａ  表示画面
５０  携帯電話機（端末）
５１  表示部
５１ａ  表示画面
６０  サーバ
６１  パソコン（ＰＣ）
６２  モニタ（監視表示装置）
６２ａ  監視画面
６３  データベース（ＤＢ）
６４  ルータ
７０  サーバ
７１  管理データベース（ＤＢ）
７２  パソコン（ＰＣ）
７３  モニタ（監視表示装置）
７３ａ  監視画面
７４  送受信装置
７５  アンテナ
７６  ルータ
Ｓ  被探索物追跡システム
ＴＲＳ１，ＴＲＳ２，…ＴＲＳｎ  タグ読み取りセンサ
【図１】
2005083781.tif 000003
【図２】
2005083781.tif 000004
【図３】
2005083781.tif 000005
【図４】
2005083781.tif 000006
【図５】
2005083781.tif 000007
【図６】
2005083781.tif 000008